(57)【要約】【課題】本体のディスプレイ部と蓋のディスプレイ部とを単一の大画面として合体することのできる畳み方式の携帯端末およびそのヒンジ装置を提供する。【解決手段】本発明の折り畳み方式の携帯端末は、第１ディスプレイ部を有する第１ボディと、少なくとも一つの第１ヒンジモジュールを介して第１ボディに対して回転可能に連結され、第２ディスプレイ部を有する第２ボディとを含み、第１および第２ボディのオープン時、第１および第２ディスプレイ部は、互いに同一の平面をなし、少なくともいずれか一方が他方側にスライド移動可能に構成される。【選択図】図１Ｃ
2012129968.tif 000002
【特許請求の範囲】
【請求項１】
第１ディスプレイ部を有する第１ボディと、
少なくとも一つの第１ヒンジモジュールを介して前記第１ボディに対して回転可能に連結され、第２ディスプレイ部を有する第２ボディとを含み、
前記第１および第２ボディのオープン時、前記第１および第２ディスプレイ部は、互いに同一の平面をなし、少なくともいずれか一方が他方側にスライド移動可能に構成されることを特徴とする折り畳み方式の携帯端末。
【請求項２】
前記第１および第２ディスプレイ部は、互いに合体されて単一のディスプレイ画面を構成することを特徴とする請求項１に記載の折り畳み方式の携帯端末。
【請求項３】
前記第１および第２ディスプレイ部のうち少なくともいずれか一方は、第２ヒンジモジュールを介してスライド移動可能に構成されることを特徴とする請求項１に記載の折り畳み方式の携帯端末。
【請求項４】
前記第１および第２ディスプレイ部のうち少なくともいずれか一方は、前記第１および第２ディスプレイ部の間に相当する移動区間にてスライド移動可能に構成されることを特徴とする請求項３に記載の折り畳み方式の携帯端末。
【請求項５】
前記第１および第２ボディのうち少なくともいずれか一方は、前記スライド移動に伴って生じる露出部位に付加機能手段を構成し、前記第１および第２ディスプレイ部のうち少なくともいずれか一方のスライド移動に伴って前記付加機能手段を開閉することを特徴とする請求項４に記載の折り畳み方式の携帯端末。
【請求項６】
前記付加機能手段が、補助スピーカまたはキーパッドを含むことを特徴とする請求項５に記載の折り畳み方式の携帯端末。
【請求項７】
前記第１ヒンジモジュールは、前記第１および第２ボディの連結部の両側に取り付けられ、前記第１および第２ボディに連結されるギヤヒンジからなることを特徴とする請求項１に記載の折り畳み方式の携帯端末。
【請求項８】
前記第２ヒンジモジュールは、前記第１ディスプレイ部と第１ボディ、または第２ディスプレイ部と第２ボディにヒンジ結合されるスライドヒンジからなることを特徴とする請求項３に記載の折り畳み方式の携帯端末。
【請求項９】
前記第１ヒンジモジュールは、前記第１および第２ボディが互いに離隔して連結できるように前記ボディの連結部の両側に構成されることを特徴とする請求項８に記載の折り畳み方式の携帯端末。
【請求項１０】
前記第１ヒンジモジュールは、前記第１および第２ボディが互いに接触して連結できるように前記ボディの連結部の両側に構成され、前記第１および第２ボディは、これらの接触端部がラウンド状からなることを特徴とする請求項８に記載の折り畳み方式の携帯端末。
【請求項１１】
第１ディスプレイ部を有する第１ボディと、第２ディスプレイ部を有する第２ボディとを含み、前記第１および第２ボディのオープン時、前記第１および第２ディスプレイ部が同一の平面をなす折り畳み方式の携帯端末に備えられ、
前記第１および第２ボディの連結部の両側にそれぞれ構成され、前記第１および第２ボディを相互連結し、第１および第２ボディの回転中心軸を形成する第１ヒンジモジュールと、
前記第１および第２ボディのうち少なくともいずれか一方に備えられ、前記第１および第２ボディがオープンされた時、前記第１および第２ディスプレイ部のうち少なくともいずれか一方をスライド移動させることが可能な第２ヒンジモジュールとを含むことを特徴とする折り畳み方式の携帯端末のヒンジ装置。
【請求項１２】
前記第２ヒンジモジュールは、前記第１および第２ボディのオープン時、前記第１および第２ディスプレイ部の間に相当する移動区間だけ第１および第２ディスプレイ部のうち少なくともいずれか一方を他方側にスライド移動させる弾性力を提供することを特徴とする請求項１１に記載の折り畳み方式の携帯端末のヒンジ装置。
【請求項１３】
前記第１ヒンジモジュールは、
前記第１および第２ボディの連結部の両側にそれぞれ取り付けられるヒンジケースと、
前記ヒンジケースに回転可能に取り付けられ、前記第１および第２ボディにそれぞれ連結される第１および第２ヒンジ軸と、
前記第１および第２ヒンジ軸を駆動させるためのギヤユニットと、
前記第１および第２ヒンジ軸にそれぞれ構成される回転カムと、
前記第１および第２ヒンジ軸に長さ方向に沿って移動可能に取り付けられ、前記回転カムと相互カム接触する移動カムと、
前記第１および第２ヒンジ軸に取り付けられ、前記移動カムに弾発力を発揮するスプリング部材とを含むことを特徴とする請求項１１に記載の折り畳み方式の携帯端末のヒンジ装置。
【請求項１４】
前記ギヤユニットは、
前記第１および第２ヒンジ軸にそれぞれ結合される第１および第２駆動ギヤと、
前記ヒンジケースに回転可能に設けられ、前記第１駆動ギヤと互いに噛み合う第１受動ギヤと、
前記ヒンジケースに回転可能に設けられ、前記第１受動ギヤおよび第２駆動ギヤと互いに噛み合う第２受動ギヤとを含むことを特徴とする請求項１３に記載の折り畳み方式の携帯端末のヒンジ装置。
【請求項１５】
前記第２ヒンジモジュールは、
前記第１および第２ボディのうち少なくともいずれか一方に固定設置される固定部材と、
前記第１および第２ディスプレイ部のうち少なくともいずれか一方の底面に固定設置され、前記固定部材にスライド可能に結合されるスライド部材と、
前記固定部材と前記スライド部材との間でこれらの各々にヒンジ結合される弾性リンクとを含むことを特徴とする請求項１１に記載の折り畳み方式の携帯端末のヒンジ装置。
【請求項１６】
前記弾性リンクは、
前記固定部材にヒンジ結合されるうず巻き状の弾性部材と、
前記弾性部材に連結され、前記スライド部材にヒンジ結合されるアーム部材とを含むことを特徴とする請求項１５に記載の折り畳み方式の携帯端末のヒンジ装置。
【発明の詳細な説明】
【技術分野】
【０００１】
本発明は、折り畳み方式の携帯端末に関し、より詳細には、蓋を本体に対して上下方向に回転させることでその蓋の開閉が行われる折り畳み方式の携帯端末、および、それに備えられるヒンジ装置に関する。
【背景技術】
【０００２】
一般的に、移動中に無線で放送および通信などのサービスを利用するためには、携帯電話や、ＰＤＡ、ノートパソコン、ＤＭＢフォンなどの携帯端末が多く使用されている。
【０００３】
前記携帯端末は、情報化産業の発達に伴う生活の便宜性を享受するために欠かせない重要な必需品の一つとして位置づけられており、携帯電話の場合は、小・中・高校生や老人などに至るまで幅広く普及されている。
【０００４】
このような携帯端末においては、蓋を本体に対して開閉させるのに多様な方式が適用されているが、これを大別して、折り畳み方式、スライド方式、およびスイング方式に分けることができる。
【０００５】
このうち、折り畳み方式は、携帯端末の蓋を本体に対して上下方向に回転させることにより、その蓋の開閉動作が行われる。
【０００６】
このような折り畳み方式は、使用が便利で故障が少なく、洗練されたデザインを有するなどの様々な利点のため、携帯端末に主に適用される方式の一つである。
【０００７】
ここで、前記折り畳み方式の携帯端末は、本体にキーパッド部またはディスプレイ部が構成され、蓋にディスプレイ部が構成されるが、その蓋と本体が相互対面した状態（０度）から、蓋の上下回転によりその蓋を開閉させることができる。
【０００８】
このような折り畳み方式の携帯端末は、ヒンジ装置を介して蓋の開閉動作が行われるが、このヒンジ装置は、カムとスプリングを採用したり、ギヤを採用する方式など、各メーカーを中心に多様な構造として製作されている。
【０００９】
一方、最近では、動画、ＤＭＢ、ゲームなどのようなマルチメディアサービスを大画面のディスプレイを介して利用できるように、蓋を開けた時、蓋のディスプレイ部と本体のディスプレイ部とが一つに合体可能な携帯端末の開発に、力が入れられている。
【００１０】
このような携帯端末は、蓋および本体の連結端部の両側にヒンジ装置を採用しているが、前記ヒンジ装置は、蓋と本体に相互連結されるようにそれぞれ構成され、蓋および本体の回転を支持する回転中心軸に沿って配置される。
【００１１】
しかし、このような従来技術では、ヒンジ装置を介して回転可能に連結される蓋と本体の互いの連結端部に、円滑な回転を確保するためのラウンドを形成する必要があり、そのため、蓋のディスプレイ部と本体のディスプレイ部との間には所定間隔の隙間が発生してしまう。
【００１２】
したがって、従来技術では、蓋のディスプレイ部と本体のディスプレイ部との間の隙間によって前記ディスプレイ部を一つに合体して大画面として実現できなくなるため、動画、ＤＭＢ、ゲーム、インターネットなどのようなマルチメディアサービスを利用しようとするユーザの欲求を満たせずにいるのが現状である。
【発明の概要】
【発明が解決しようとする課題】
【００１３】
本発明は、上記の問題を改善するためになされたものであって、本体のディスプレイ部と蓋のディスプレイ部とを単一の大画面として合体することのできる畳み方式の携帯端末、および、そのヒンジ装置を提供することを目的とする。
【００１４】
また、本発明は、本体のディスプレイ部と蓋のディスプレイ部とを一つに合体しながら、機能要素が設けられる本体の露出面積をより拡張できるようにした折り畳み方式の携帯端末、および、そのヒンジ装置を提供することを目的とする。
【課題を解決するための手段】
【００１５】
本発明の実施形態にかかる折り畳み方式の携帯端末は、第１ディスプレイ部を有する第１ボディと、少なくとも一つの第１ヒンジモジュールを介して前記第１ボディに対して回転可能に連結され、第２ディスプレイ部を有する第２ボディとを含み、前記第１および第２ボディのオープン時、前記第１および第２ディスプレイ部は、互いに同一の平面をなし、少なくともいずれか一方が他方側にスライド移動可能に構成可能である。
【００１６】
前記第１および第２ディスプレイ部は、互いに合体されて単一のディスプレイ画面を構成することができる。
【００１７】
前記第１および第２ディスプレイ部のうち少なくともいずれか一方は、第２ヒンジモジュールを介してスライド移動可能に構成可能である。
【００１８】
前記第１および第２ディスプレイ部のうち少なくともいずれか一方は、前記第１および第２ディスプレイ部の間に相当する移動区間にてスライド移動可能に構成可能である。
【００１９】
前記第１および第２ボディのうち少なくともいずれか一方は、前記スライド移動に伴って生じる露出部位に付加機能手段を構成し、前記第１および第２ディスプレイ部のうち少なくともいずれか一方のスライド移動に伴って前記付加機能手段を開閉することができる。
【００２０】
前記付加機能手段が、補助スピーカまたはキーパッドを含むことができる。
【００２１】
前記第１ヒンジモジュールは、前記第１および第２ボディの連結部の両側に取り付けられ、前記第１および第２ボディに連結されるギヤヒンジからなり得る。
【００２２】
前記第２ヒンジモジュールは、前記第１ディスプレイ部と第１ボディ、または第２ディスプレイ部と第２ボディにヒンジ結合されるスライドヒンジからなり得る。
【００２３】
一実施形態において、前記第１ヒンジモジュールは、前記第１および第２ボディが互いに離隔して連結できるように前記ボディの連結部の両側に構成可能である。
【００２４】
他の実施形態において、前記第１ヒンジモジュールは、前記第１および第２ボディが互いに接触して連結できるように前記ボディの連結部の両側に構成され、前記第１および第２ボディは、これらの接触端部がラウンド状からなり得る。
【００２５】
本発明の他の実施形態にかかる折り畳み方式の携帯端末のヒンジ装置は、前記第１および第２ボディの連結部の両側にそれぞれ構成され、前記第１および第２ボディを相互連結し、第１および第２ボディの回転中心軸を形成する第１ヒンジモジュールと、前記第１および第２ボディのうち少なくともいずれか一方に構成され、前記第１および第２ボディがオープンされた時、前記第１および第２ディスプレイ部のうち少なくともいずれか一方をスライド移動させることが可能な第２ヒンジモジュールとを含むことができる。
【００２６】
前記第２ヒンジモジュールは、前記第１および第２ボディのオープン時、前記第１および第２ディスプレイ部の間に相当する移動区間だけ第１および第２ディスプレイ部のうち少なくともいずれか一方を他方側にスライド移動させる弾性力を提供することができる。
【００２７】
前記第１ヒンジモジュールは、前記第１および第２ボディの連結部の両側にそれぞれ取り付けられるヒンジケースと、前記ヒンジケースに回転可能に取り付けられ、前記第１および第２ボディにそれぞれ連結される第１および第２ヒンジ軸と、前記第１および第２ヒンジ軸を駆動させるためのギヤユニットと、前記第１および第２ヒンジ軸にそれぞれ構成される回転カムと、前記第１および第２ヒンジ軸に長さ方向に沿って移動可能に取り付けられ、前記回転カムと相互カム接触する移動カムと、前記第１および第２ヒンジ軸に取り付けられ、前記移動カムに弾発力を発揮するスプリング部材とを含むことができる。
【００２８】
前記ギヤユニットは、前記第１および第２ヒンジ軸にそれぞれ結合される第１および第２駆動ギヤと、前記ヒンジケースに回転可能に設けられ、前記第１駆動ギヤと互いに噛み合う第１受動ギヤと、前記ヒンジケースに回転可能に設けられ、前記第１受動ギヤおよび第２駆動ギヤと互いに噛み合う第２受動ギヤとを含むことができる。
【００２９】
前記第２ヒンジモジュールは、前記第１および第２ボディのうち少なくともいずれか一方に固定設置される固定部材と、前記第１および第２ディスプレイ部のうち少なくともいずれか一方の底面に固定設置され、前記固定部材にスライド可能に結合されるスライド部材と、前記固定部材と前記スライド部材との間でこれらの各々にヒンジ結合される弾性リンクとを含むことができる。
【００３０】
前記弾性リンクは、前記固定部材にヒンジ結合されるうず巻き状の弾性部材と、前記弾性部材に連結され、前記スライド部材にヒンジ結合されるアーム部材とを含むことができる。
【図面の簡単な説明】
【００３１】
【図１Ａ】本発明の実施形態にかかる折り畳み方式の携帯端末を示した斜視図である。
【図１Ｂ】本発明の実施形態にかかる折り畳み方式の携帯端末を示した斜視図である。
【図１Ｃ】本発明の実施形態にかかる折り畳み方式の携帯端末を示した斜視図である。
【図２】図１Ｂにおける携帯端末の平面図である。
【図３】本発明の実施形態にかかる折り畳み方式の携帯端末のヒンジ装置を示した分解斜視図である。
【図４】本発明の実施形態にかかる折り畳み方式の携帯端末のヒンジ装置に適用される第１ヒンジモジュールを示した分解斜視図である。
【図５】図４の第１ヒンジモジュールに適用されるギヤユニットの構成を示した概略図である。
【図６】本発明の実施形態にかかる折り畳み方式の携帯端末のヒンジ装置に適用される第２ヒンジモジュールを示した分解斜視図である。
【図７Ａ】本発明の実施形態にかかる折り畳み方式の携帯端末のヒンジ装置の動作を説明するための図である。
【図７Ｂ】本発明の実施形態にかかる折り畳み方式の携帯端末のヒンジ装置の動作を説明するための図である。
【図７Ｃ】本発明の実施形態にかかる折り畳み方式の携帯端末のヒンジ装置の動作を説明するための図である。
【図８】本発明の他の実施形態にかかる折り畳み方式の携帯端末を示した平面図である。
【図９Ａ】本発明の他の実施形態にかかる折り畳み方式の携帯端末を概略的に示した図である。
【図９Ｂ】本発明の他の実施形態にかかる折り畳み方式の携帯端末を概略的に示した図である。
【図９Ｃ】本発明の他の実施形態にかかる折り畳み方式の携帯端末を概略的に示した図である。
【発明を実施するための形態】
【００３２】
以下、添付した図面を参考にして、本発明の実施形態について、本発明の属する技術分野における通常の知識を有する者が容易に実施できるように詳細に説明する。しかし、本発明は、様々な異なる形態で実現可能であり、ここで説明する実施形態に限定されない。
【００３３】
下記の詳細な説明において、本発明を明確に説明するために説明上不要な部分は省略し、明細書全体にわたって同一または類似の構成要素については同一の参照符号を付している。
【００３４】
また、下記の詳細な説明において、構成の名称を第１、第２などと使い分けたのは、その構成の名称が同一でこれを区分するためのものであり、下記の説明で必ずしもその順序に限定されるのではない。
【００３５】
図１Ａ〜図１Ｃは、本発明の実施形態にかかる折り畳み方式の携帯端末を示した斜視図である。
【００３６】
本発明の実施形態にかかる折り畳み方式の携帯端末１００は、例えば、音声／画像通話、メッセージ転送など、移動通信機能を基本的に行いながら、データ入力や、ＤＭＢ、動画、ゲーム、インターネットなどのようなマルチメディアサービスを利用できる移動通信端末である。
【００３７】
このような携帯端末１００は、本体としての第１ボディ１０と、蓋としての第２ボディ２０とを含んで構成される。
【００３８】
前記携帯端末１００は、基本的に、第２ボディ２０が第１ボディ１０に対して上下方向に回転しながら、第２ボディ２０の開閉が可能な上下回転方式（当業界では、通常、「折り畳み方式」という。）の一般的な携帯電話として構成可能である。
【００３９】
本明細書においては、前記携帯端末１００を開けた時、ディスプレイ部のある面を前面と定義する。また、図１Ａ〜図１Ｃにおいて、左右方向を長さ方向と定義し、上下方向を幅方向と定義する。
【００４０】
しかし、このような方向の定義は任意に定めたものであり、ユーザを基準とする携帯端末１００の位置によって方向の定義が異なり得ることは勿論である。
【００４１】
ここで、前記携帯端末１００は、通常、ワイドフォンからなるが、第１ボディ１０および第２ボディ２０は、その長さがその幅より相対的に長い長方形状に形成される。
【００４２】
つまり、前記携帯端末１００は、図１Ａのように、第１および第２ボディ１０、２０が相互対面している状態（閉じられた状態）で、第２ボディ２０が第１ボディ１０に対して幅方向（つまり、上下方向）に回転することにより、図１Ｂのように、第１および第２ボディ１０、２０が開かれた状態になる。
【００４３】
そして、前記携帯端末１００は、図１Ｂに示されているように、第１ボディ１０の前面にタッチスクリーンで形成された第１ディスプレイ部１１が備えられており、第２ボディ２０の前面にタッチスクリーンまたは液晶パネルで形成された第２ディスプレイ部２１が備えられている。
【００４４】
前記第１ディスプレイ部１１は、第１ボディ１０の前面から下端まで伸び、第２ディスプレイ部２１は、第２ボディ２０の前面から上端まで伸び、ＤＭＢ、動画、ゲーム、インターネットなどのようなマルチメディアをディスプレイする。
【００４５】
この場合、前記第１ディスプレイ部１１は、携帯端末１００の使用メニューキー、方向転換キー、アルファベットやハングルなどの入力が可能なキーボード配列のクワーティ（ｑｗｅｒｔｙ）型キーのディスプレイ、および前記キーの作動が実現可能になっている。
【００４６】
このような本発明の実施形態にかかる携帯端末１００は、ヒンジ装置２００の第１ヒンジモジュール１１０を介して第２ボディ２０を第１ボディ１０に対して上側方向に回転させることにより、第１および第２ボディ１０、２０を基準オープン角度（例えば、１８０度）にオープンすることができる（図１Ｂ参照）。
【００４７】
ここで、前記第１および第２ボディ１０、２０がオープンされた時、第１および第２ディスプレイ部１１、２１は、互いに同一の平面をなし、第１および第２ボディ１０、２０の長さ方向に沿って並んで位置する。
【００４８】
そして、前記第１および第２ボディ１０、２０がオープンされた時、第１および第２ディスプレイ部１１、２１の間には、所定間隔の隙間が発生するようになる。
【００４９】
前記隙間は、第１ヒンジモジュール１１０を介して回転可能に連結された前記ボディ１０、２０同士の円滑な回転を確保するため、前記ボディ１０、２０の互いの連結端部にラウンド部１９、２９を設けたことにより、生じるものである。
【００５０】
ここで、前記第１および第２ボディ１０、２０の連結端部にラウンド部１９、２９を形成する理由は、第１および第２ボディ１０、２０の回転時、前記ボディ１０、２０の連結端部が接触することによりボディ１０、２０の回転干渉が生じないようにするためである。
【００５１】
本実施形態にかかる前記携帯端末１００は、図１Ｂおよび図１Ｃに示すように、第１および第２ボディ１０、２０が１８０度にオープンされた状態で、ヒンジ装置２００の第２ヒンジモジュール２１０を介して第１および第２ディスプレイ部１１、２１のうちいずれか一方を他方側にスライド移動させることが可能な構造からなる。
【００５２】
本実施形態では、第１ディスプレイ部１１が第１ボディ１０上で第２ディスプレイ部２１に向かってスライド移動可能であり、第２ディスプレイ部２１が第２ボディ２０に固定されている。
【００５３】
つまり、本実施形態では、第１および第２ディスプレイ部１１、２１間の隙間に相当する移動区間だけ第１ディスプレイ部１１を第１ボディ１０に対して上側方向にスライド移動させることにより、第１および第２ディスプレイ部１１、２１が互いに接触して単一のディスプレイ画面を形成するようになっている。
【００５４】
この場合、公知の技術にかかるディスプレイ駆動モジュールのインターフェース制御により、第１ボディ１０の第１ディスプレイ部１１と第２ボディ２０の第２ディスプレイ部２１とを一つに結合し、大画面のディスプレイを介してマルチメディアなどを便利に利用することができる。
【００５５】
このような本発明の実施形態にかかるヒンジ装置２００の第１および第２ヒンジモジュール１１０、２１０に対する具体的な構成は、図３〜図６に基づいて後述する。
【００５６】
一方、本実施形態にかかる前記携帯端末１００は、前述の如く、第１および第２ボディ１０、２０が１８０度にオープンされた状態で、第１ボディ１０の第１ディスプレイ部１１が上側方向にスライド移動することにより、第２ボディ２０の第２ディスプレイ部２１と単一の画面に合体可能である。この時、第１ボディ１０の下端の一部が開放（露出）可能である（図１Ｃ参照）。
【００５７】
ここで、前記第１ボディ１０の下端の一部、つまり、露出部位には、図１Ｃのように、携帯端末１００の各種付加機能を実行可能な付加機能手段３０、例えば、高性能のサウンド出力を実現する補助スピーカやメニューキーなどのキーパッドが構成可能である。
【００５８】
したがって、このように構成される本発明の実施形態にかかる携帯端末１００は、図１Ａのように、第１および第２ボディ１０、２０が相互対面してクローズされた状態で、図１Ｂのように、第１ヒンジモジュール１１０を介して第２ボディ２０を第１ボディ１０に対して上側方向に回転させることにより、第１および第２ボディ１０、２０間の角度を１８０度にすることができる。これにより、第１および第２ボディ１０、２０はオープン可能である。
【００５９】
ここで、前記第１および第２ボディ１０、２０がオープンされた時、第１および第２ディスプレイ部１１、２１は、互いに同一の平面をなし、これにより、ユーザは、第１および第２ディスプレイ部１１、２１を介してＤＭＢ、動画、ゲーム、インターネットなどのようなマルチメディアを利用することができ、アルファベットやハングルなどの入力が可能になる。
【００６０】
この状態で、図１Ｃのように、第１および第２ディスプレイ部１１、２１間の隙間に相当する移動区間だけ第１ディスプレイ部１１を第１ボディ１０に対して上側方向にスライド移動させることが可能である。
【００６１】
したがって、本実施形態では、第１および第２ディスプレイ部１１、２１が単一のディスプレイ画面に合体されて大画面を実現できるため、その大画面のディスプレイを介してマルチメディアなどを便利に利用することができる。
【００６２】
そして、本実施形態では、第１ディスプレイ部１１を上側方向にスライド移動させることにより、第１ボディ１０の下端部分の付加機能手段３０が露出可能なため、その付加機能手段３０により携帯端末１００の各種付加機能をより効率よく使用することができる。
【００６３】
これまで本発明の例示的な実施形態は、携帯端末１００として移動通信が可能な一般的な携帯電話を例として挙げたが、必ずしもこれに限定されず、ＰＤＡ、ＰＭＰ、スマートフォン、ハンドヘルドＰＣ、ＭＰ３/ＭＰ４プレーヤ、ゲーム機、ネットブック、ノートパソコンなどのような携帯用電機電子装置にも適用可能である。
【００６４】
このような携帯用電機電子装置は、ＣＤＭＡ（Ｃｏｄｅ  Ｄｉｖｉｓｉｏｎ  Ｍｕｌｔｉｐｌｅｌｅｘｉｎｇ  Ａｃｃｅｓｓ）モジュール、ブルートゥースモジュール、赤外線通信モジュール（ＩｒＤＡ）、有／無線ＬＡＮカードのような所定の通信モジュールを備えることができ、ゲームアイテムなどのようなマルチメディア再生機能を行う所定のマイクロプロセッサを備えることができる。
【００６５】
以下、本発明の実施形態にかかる折り畳み方式の携帯端末に適用されるヒンジ装置２００について、添付した図面を参照して詳細に説明する。
【００６６】
図３は、携帯端末１００の第１および第２ボディ１０、２０が１８０度にオープンされた状態での分解斜視図である。
【００６７】
同図を参照すると、本発明の実施形態にかかる折り畳み方式の携帯端末のヒンジ装置２００は、第１および第２ボディ１０、２０を０〜１８０度の範囲でオープンおよびクローズさせることができる。また、前記ヒンジ装置２００は、第１および第２ボディ１０、２０が１８０度にオープンされた状態で、第１ボディ１０の第１ディスプレイ部１１を第２ボディ２０の第２ディスプレイ部２１側にスライド移動できるようになっている。
【００６８】
このため、本実施形態にかかる前記ヒンジ装置２００は、基本的に、第１ヒンジモジュール１１０および第２ヒンジモジュール２１０を含んで構成される。これを構成別に説明すると、次のとおりである。
【００６９】
本実施形態において、前記第１ヒンジモジュール１１０は、第１および第２ボディ１０、２０を相対回転自在に支持するためのものである。
【００７０】
例えば、前記第１ヒンジモジュール１１０は、蓋としての第２ボディ２０が本体としての第１ボディ１０に対して全回転区間のうち一定の区間回転するまで、ユーザが第２ボディ２０に回転力を加えると、残りの区間ではスプリングの弾性復元力によって第２ボディ２０の回転運動が自動的に行われるようになっている。
【００７１】
このような第１ヒンジモジュール１１０は、第１ボディ１０および第２ボディ２０の連結部の両側で前記ボディ１０、２０に相互連結されるように構成される。
【００７２】
このため、前記第１および第２ボディ１０、２０の連結部の両側には、第１ヒンジモジュール１１０を取り付けるための溝状のヒンジアーム５０（図１Ａ〜図１Ｃ参照）が互いに対向して形成されている。
【００７３】
前記第１ヒンジモジュール１１０は、第１および第２ボディ１０、２０を相互連結し、図２のように、第１および第２ボディ１０、２０の回転中心軸Ａを形成する。
【００７４】
このような回転中心軸Ａは、第１および第２ボディ１０、２０を相互連結しながら、前記ボディ１０、２０を相対回転自在に支持するものであり、第１および第２ボディ１０、２０の開閉動作は、回転中心軸Ａを中心に上下方向に沿って回転することにより行われる。
【００７５】
このような本実施形態にかかる第１ヒンジモジュール１１０は、第１および第２ボディ１０、２０の連結部の両側でヒンジアーム５０に取り付けられ、第１および第２ボディ１０、２０に連結されるギヤヒンジからなる。
【００７６】
図４は、本発明の実施形態にかかる折り畳み方式の携帯端末のヒンジ装置に適用される第１ヒンジモジュールを示した分解斜視図であり、図５は、図４の第１ヒンジモジュールに適用されるギヤユニットの構成を示した概略図である。
【００７７】
これらの図を参照すると、本実施形態にかかる前記第１ヒンジモジュール１１０は、ヒンジケース１２０と、第１および第２ヒンジ軸１３０、１４０と、ギヤユニット１５０と、回転カム１６０と、移動カム１７０と、スプリング部材１８０とを含んで構成される。
【００７８】
本実施形態において、前記ヒンジケース１２０は、第１ヒンジモジュール１１０を構成する構成要素を取り付けるためのものであり、第１および第２ボディ１０、２０の連結部の両側でヒンジアーム５０にそれぞれ配置される。
【００７９】
前記ヒンジケース１２０には、各種ブロック、突起、リブ、溝、ホールなどのような付属要素を備えている。
【００８０】
このような付属要素は、下記の構成要素を実質的に支持するためのものであり、以下では、例外的な場合を除き、前記付属要素をヒンジケース１２０と通称する。
【００８１】
前記ヒンジケース１２０は、上部ケース１２１および下部ケース１２２からなるが、前記上部および下部ケース１２１、１２２は、ボルトにより相互結着および締結可能である。
【００８２】
ヒンジケース１２０は、成形および製作の容易性を考慮して、上部ケース１２１および下部ケース１２２の内部構造を同一としてもよいし、下記の構成要素の装着性を考慮して、一部が異なる構造としてもよい。
【００８３】
本実施形態において、前記第１および第２ヒンジ軸１３０、１４０は、前述した第１および第２ボディ１０、２０の回転中心軸Ａ（図２参照）を形成するためのものであり、ヒンジケース１２０の内部に相互平行に配置され、そのヒンジケース１２０に回転可能に取り付けられる。
【００８４】
この場合、前記第１および第２ヒンジ軸１３０、１４０の両端は、ヒンジケース１２０の外部に突出して設けられるが、第１および第２ボディ１０、２０のヒンジアーム５０にて前記ボディ１０、２０にそれぞれ連結可能となっている。
【００８５】
例えば、前記第１および第２ヒンジ軸１３０、１４０は、連結ブラケット１３５、１４５を介して第１および第２ボディ１０、２０にそれぞれ連結可能である。この連結ブラケット１３５、１４５は、第１および第２ヒンジ軸１３０、１４０にそれぞれ連結されながら、ボルトなどにより第１および第２ボディ１０、２０にそれぞれ締結可能である。
【００８６】
本実施形態において、前記ギヤユニット１５０は、第１および第２ヒンジ軸１３０、１４０を駆動させるためのものであり、一対の第１および第２駆動ギヤ１５１、１５２と、一対の第１および第２受動ギヤ１５３、１５４とを含んで構成される。
【００８７】
前記第１および第２駆動ギヤ１５１、１５２は、第１および第２ヒンジ軸１３０、１４０にそれぞれ結合される。前記駆動ギヤ１５１、１５２は、第１および第２ヒンジ軸１３０、１４０にそれぞれ嵌合可能であり、インサート射出により第１および第２ヒンジ軸１３０、１４０上に一体に形成されることも可能である。
【００８８】
そして、前記第１および第２受動ギヤ１５３、１５４は、ヒンジケース１２０の内部において、第１および第２駆動ギヤ１５１、１５２の間にてヒンジケース１２０に対して回転可能に設置される。
【００８９】
ここで、前記第１受動ギヤ１５３は、ヒンジケース１２０に回転可能に設けられ、第１駆動ギヤ１５１と互いに噛み合う。第１受動ギヤ１５３は、第１ヒンジ軸１３０の回転方向と反対の方向に回転可能に取り付けられる。
【００９０】
そして、前記第２受動ギヤ１５４は、第１受動ギヤ１５３に対応してヒンジケース１２０に回転可能に設けられ、第１受動ギヤ１５３および第２駆動ギヤ１５２と互いに噛み合う。
【００９１】
この場合、前記第２受動ギヤ１５４は、第１受動ギヤ１５３の回転方向と反対の方向に回転し、その回転力を第２駆動ギヤ１５２を介して第２ヒンジ軸１４０に伝達する機能を果たすようになる。
【００９２】
例えば、携帯端末の蓋である第２ボディ２０の回転に伴う第１ヒンジ軸１３０の回転として第１駆動ギヤ１５１が正方向に回転すると、第１受動ギヤ１５３は逆方向に回転し、第２受動ギヤ１５４は正方向に回転するようになる。
【００９３】
したがって、前記第２ヒンジ軸１４０は、第２駆動ギヤ１５２が第２受動ギヤ１５４と互いに噛み合うため、第１ヒンジ軸１３０の回転方向とは反対方向に回転する。
【００９４】
本実施形態において、前記回転カム１６０は、第１および第２ヒンジ軸１３０、１４０にそれぞれ構成されるものであり、第１および第２駆動ギヤ１５１、１５２に一体に構成可能であり、第１および第２ヒンジ軸１３０、１４０にそれぞれ嵌合されることも可能である。
【００９５】
このような回転カム１６０には、凹部と凸部からなる第１カム突起１６１を形成している。
【００９６】
そして、前記移動カム１７０は、ヒンジケース１２０の内部において、第１および第２ヒンジ軸１３０、１４０に長さ方向に沿って移動可能に取り付けられ、前記回転カム１６０と相互カム接触可能に設けられる。
【００９７】
前記移動カム１７０は、第１および第２ヒンジ軸１３０、１４０が全て嵌合できる単一のプレート状からなり、各ヒンジ軸１３０、１４０の回転カム１６０に対応する第１および第２カム部１７１、１７２を形成している。
【００９８】
ここで、前記移動カム１７０の第１および第２カム部１７１、１７２は、凹部と凸部からなり、回転カム１６０の第１カム突起１６１とカム接触する第２カム突起１７３、１７４を形成している。
【００９９】
本実施形態において、前記スプリング部材１８０は、移動カム１７０に弾発力を加えるためのものであり、第１および第２ヒンジ軸１３０、１４０にそれぞれ取り付けられる螺旋状の圧縮コイルスプリングからなる。
【０１００】
つまり、前記スプリング部材１８０は、一側端部がヒンジケース１２０に支持され、他方の端部が移動カム１７０に支持される。
【０１０１】
本実施形態において、前記第２ヒンジモジュール２１０は、第１および第２ボディ１０、２０が１８０度にオープンされた状態で、第１ボディ１０の第１ディスプレイ部１１および第２ボディ２０の第２ディスプレイ部２１のうち少なくともいずれか一方、好ましくは、第１ディスプレイ部１１を第２ディスプレイ部２１側にスライド移動させるためのものである。
【０１０２】
前記第２ヒンジモジュール２１０は、「スライドヒンジモジュール」または「弾性リンクモジュール」ともいう。
【０１０３】
このような第２ヒンジモジュール２１０は、第１ボディ１０に対して第１ディスプレイ部１１を上下方向にスライド移動させ、第１ボディ１０の付加機能手段３０を選択的に開閉するためのものである。
【０１０４】
前記第２ヒンジモジュール２１０は、第１ディスプレイ部１１が第２ディスプレイ部２１に向かって移動する場合、第１ディスプレイ部１１の全移動区間のうち一定の区間にスライド移動するまで、ユーザが第１ディスプレイ部１１に力を加えると、残りの区間でスプリングの弾性復元力によって第１ディスプレイ部１１のスライド運動が自動的に行われるようになっている。
【０１０５】
図６は、本発明の実施形態にかかる折り畳み方式の携帯端末のヒンジ装置に適用される第２ヒンジモジュールを示した分解斜視図である。
【０１０６】
同図を参照すると、本実施形態にかかる前記第２ヒンジモジュール２１０は、第１ディスプレイ部１１と第１ボディ１０にヒンジ結合されるスライドヒンジからなるが、固定部材２２０と、スライド部材２３０と、弾性リンク２５０とを含んで構成可能である。
【０１０７】
前記において、固定部材２２０およびスライド部材２３０は互いに対応するものであり、第１ボディ１０および第１ディスプレイ部１１に別個として設けられて互いに噛み合い、相対的なスライド動作が行われるようになっている。
【０１０８】
本実施形態では、前記固定部材２２０はスライド動作が行われない部分を意味し、スライド部材２３０はスライド動作が行われる部分を意味する。
【０１０９】
つまり、前記固定部材２２０は、固定（ｆｉｘ）プレートとして機能し、スライド部材２３０は、スライド動作が行われるムービング（ｍｏｖｉｎｇ）プレートとして機能する。
【０１１０】
本実施形態において、前記固定部材２２０は、固定プレートとして金属または合成樹脂素材の板状からなり、ボルトまたはリベットなどのような締結手段により第１ディスプレイ部１１の背面に対応する第１ボディ１０に固定設置される。
【０１１１】
このような固定部材２２０は、金属素材の板状からなる本体部２２１と、本体部２２１の両側サイド部に一体に固定されてガイド溝２２３を形成している合成樹脂製の溝部材２２５とを含んでいる。
【０１１２】
本実施形態において、前記スライド部材２３０は、ムービングプレートとして金属または合成樹脂素材の板状からなり、ボルトまたはリベットなどのような締結手段により第１ディスプレイ部１１の背面に固定設置される。
【０１１３】
前記スライド部材２３０は、固定部材２２０と相互スライド可能に結合されるが、固定部材２２０の幅よりも大きな幅を有し、その固定部材２２０のガイド溝２２３にスライド移動可能に結合できるレール部２３１を両側の周縁に形成している。
【０１１４】
本実施形態において、前記弾性リンク２５０は、第１ディスプレイ部１１が全移動区間のうち一定の区間でスライド移動したとき、残りの区間で固定部材２２０およびスライド部材２３０に弾性力を提供し、第１ディスプレイ部１１を自動的にスライド移動させるものである。
【０１１５】
前記弾性リンク２５０は、固定部材２２０およびスライド部材２３０の間に一対備えられ、一方の端部分が固定部材２２０に回転可能にヒンジ結合され、他方の端部分がスライド部材２３０に回転可能にヒンジ結合される。
【０１１６】
このような弾性リンク２５０は、例えば、固定部材２２０にヒンジ結合されるうず巻き状の弾性部材２６１と、スライド部材２３０にヒンジ結合されるアーム部材２７１とを含んで構成される。
【０１１７】
前記弾性部材２６１は、ワイヤスプリングをうず巻き状に巻設したものであり、ヒンジピン（図示せず）により固定部材２２０にヒンジ結合される。
【０１１８】
そして、前記アーム部材２７１は、弾性部材２６１のうず巻き状に巻かれた部分を平面的に支持するプレート状からなり、ヒンジピン（図示せず）によりスライド部材２３０にヒンジ結合される。
【０１１９】
以下、前記のように構成される本発明の例示的な実施形態にかかる折り畳み方式の携帯端末１００およびそれに備えられるヒンジ装置２００の作動／作用を、添付した図面を参照して詳細に説明する。
【０１２０】
図７Ａ〜図７Ｃは、本発明の実施形態にかかる折り畳み方式の携帯端末のヒンジ装置の動作を説明するための図である。
【０１２１】
図７Ａのように、携帯端末１００の第１ボディ１０と第２ボディ２０が相互対面している状態を初期の開始点と定義する。
【０１２２】
ここで、前記第１および第２ボディ１０、２０は、第１ヒンジモジュール１１０から提供される弾性力によって所定の予圧で相互密着した状態にある。
【０１２３】
この状態で、第１ボディ１０に対して第２ボディ２０を全回転区間のうち一定の区間上側方向に回転させる。
【０１２４】
すると、前記第１ヒンジモジュール１１０のギヤユニット１５０を介して、第１および第２ヒンジ軸１３０、１４０に対して互いに反対方向に作用する回転力により、第１および第２ボディ１０、２０は互いに反対方向に回転する。
【０１２５】
この場合、前記第１および第２ヒンジ軸１３０、１４０が回転することにより、第１ヒンジモジュール１１０の回転カム１６０と移動カム１７０のカム作用によってスプリング部材１８０を圧縮し、そのスプリング部材１８０の圧縮弾性力が第１および第２ヒンジ軸１３０、１４０に提供される。
【０１２６】
その後、ユーザが第２ボディ２０に対して若干の回転力を加えると、スプリング部材１８０の圧縮弾性力が第１および第２ヒンジ軸１３０、１４０を介して第１および第２ボディ１０、２０に伝達されることにより、第１および第２ボディ１０、２０の残りの区間での回転運動が自動的に行われ、図７Ｂのように、１８０度にオープンされる。
【０１２７】
ここで、第２ヒンジモジュール２１０の弾性リンク２５０は、固定部材２２０およびスライド部材２３０にヒンジ結合された状態であり、前記固定部材２２０およびスライド部材２３０に弾性力を作用しないか、或いは、小さな圧縮弾性力を作用する。
【０１２８】
したがって、本実施形態では、第１および第２ボディ１０、２０が１８０度にオープンされた時、第１および第２ディスプレイ部１１、２１が互いに同一の平面をなし、これにより、ユーザは、第１および第２ディスプレイ部１１、２１を介してＤＭＢ、動画、ゲーム、インターネットなどのようなマルチメディアを利用することができ、アルファベットやハングルなどの入力が可能になる。
【０１２９】
一方、本実施形態において、第１および第２ボディ１０、２０が１８０度にオープンされた状態で、第１および第２ボディ１０、２０を、図７Ａのようにクローズさせる場合には、第１および第２ボディ１０、２０をオープンする過程の逆順に作動するため、詳細な説明は省略する。
【０１３０】
この状態で、図７Ｃのように、第２ヒンジモジュール２１０を介して第１ボディ１０の第１ディスプレイ部１１を上側方向にスライド移動させることが可能である。
【０１３１】
この過程をより具体的に説明すると、次のとおりである。
【０１３２】
図７Ｂのような状態で、第１ディスプレイ部１１を第２ディスプレイ部２１との隙間に相当する全移動区間のうち一定の区間だけ上側方向にスライド移動させる。
【０１３３】
すると、第２ヒンジモジュール２１０のスライド部材２３０が固定部材２２０に対して一定の区間上側方向にスライド移動し、これにより、弾性リンク２５０のアーム部材２７１が回転するに伴い、弾性部材２６１は圧縮し、この弾性力を固定部材２２０およびスライド部材２３０に提供する。
【０１３４】
この状態で、第１ディスプレイ部１１に上側方向に作用する力をさらに加えると、第１ディスプレイ部１１は、固定部材２２０およびスライド部材２３０に提供される弾性部材２６１の弾性力によって残りの区間で自動的にスライド移動する。
【０１３５】
したがって、前記第１ディスプレイ部１１が第２ヒンジモジュール２１０を介して上側方向にスライド移動し、第１および第２ディスプレイ部１１、２１は、ディスプレイ駆動モジュールのインターフェース制御により、単一のディスプレイ画面に合体されて大画面を実現することができる。
【０１３６】
本実施形態では、第１および第２ディスプレイ部１１、２１が単一のディスプレイ画面に合体されて大画面を実現できるため、その大画面のディスプレイを介してマルチメディアなどを便利に利用することができる。
【０１３７】
そして、本実施形態では、第１ディスプレイ部１１を上側方向にスライド移動させることにより、第１ボディ１０の下端部分の付加機能手段３０を露出できるため、機能要素が設けられるボディの露出面積をより拡張することができ、付加機能手段３０により携帯端末１００の各種付加機能をより効率よく使用することができ、多角化するユーザの多様な欲求を満たすことができるようになる。
【０１３８】
一方、本実施形態において、第１ディスプレイ部１１を下側方向にスライド移動させて第１ボディ１０の付加機能手段３０を閉鎖する場合には、付加機能手段３０を露出させる過程の逆順に作動するため、詳細な説明は省略する。
【０１３９】
これまで第１および第２ボディ１０、２０が第１ヒンジモジュール１１０によって１８０度にオープンされた状態で、第１ディスプレイ部１１が第２ヒンジモジュール２１０によって第１ボディ１０に対して上側方向にスライド移動する構成および作用を説明した。
【０１４０】
しかし、本発明では、必ずしもこれに限定されず、第２ディスプレイ部２１が第２ヒンジモジュール２１０によって下側方向にスライド移動する構成からなってもよい。
【０１４１】
図８は、本発明の他の実施形態にかかる折り畳み方式の携帯端末を示した平面図である。
【０１４２】
同図を参照すると、本発明の他の実施形態にかかる折り畳み方式の携帯端末４００は、前記実施形態の構造を基本とし、第１および第２ボディ１０、２０が１８０度にオープンされた状態で、第１および第２ディスプレイ部１１、２１を共にスライド移動させることが可能な構造からなる。
【０１４３】
他の実施形態において、前記第１および第２ボディ１０、２０が第１ヒンジモジュール３１０を介して１８０度にオープンされた状態で、第１ディスプレイ部１１は、第２ヒンジモジュール４１０を介して第１ボディ１０に対して上側方向に一定の区間スライド移動可能である。
【０１４４】
そして、前記第２ディスプレイ部２１は、第２ヒンジモジュール４１０を介して第２ボディ２０に対して下側方向に一定の区間スライド移動可能である。
【０１４５】
前記において、第２ディスプレイ部２１をスライド移動させるための第２ヒンジモジュール４１０は、第２ディスプレイ部２１と第２ボディ２０にヒンジ結合可能である。
【０１４６】
このような第２ヒンジモジュール４１０の構成は、前記実施形態で開示した第２ヒンジモジュールの構成と同一であるため、より詳細な説明は省略する。
【０１４７】
ここで、前記第１および第２ディスプレイ部１１、２１は、これらの間の隙間に相当する移動区間で一定の区間だけ上側または下側にスライド移動し、一つの大画面に合体可能である。
【０１４８】
一方、他の実施形態にかかる前記携帯端末４００は、第１および第２ボディ１０、２０が１８０度にオープンされた状態で、第１および第２ディスプレイ部１１、２１が上側または下側方向にスライド移動して一つの大画面に合体される場合、第１ボディ１０の下端部の一部と第２ボディ２０の上端部の一部を開放（露出）することができる。
【０１４９】
ここで、前記第１および第２ボディ１０、２０の露出部位には、携帯端末４００の各種付加機能を実行可能な付加機能手段３０、例えば、高性能のサウンド出力を実現する補助スピーカやメニューキーなどのキーパッドが構成可能である。
【０１５０】
本発明の他の実施形態にかかる折り畳み方式の携帯端末４００の残りの構成（ヒンジ装置を含む。）および作用は、前記本発明の実施形態と同一であるため、本明細書ではより詳細な説明は省略する。
【０１５１】
図９Ａ〜図９Ｃは、本発明の他の実施形態にかかる折り畳み方式の携帯端末を概略的に示した図である。
【０１５２】
これらの図を参照すると、本発明の例示的な他の実施形態にかかる折り畳み方式の携帯端末５００は、前記実施形態の構造を基本としつつ、第１および第２ボディ１０、２０が互いに離隔して連結できるように前記ボディ１０、２０の連結端部の両側に第１ヒンジモジュール５１０を構成している。
【０１５３】
他の実施形態において、前記第１ヒンジモジュール５１０は、前記実施形態のようにギヤヒンジからなるが、ギヤを互いに並んで配置し、第１および第２ボディ１０、２０の回転中心軸Ａを第１および第２ボディ１０、２０の連結部に構成している。
【０１５４】
この場合、前記第１および第２ボディ１０、２０の連結部は、前記実施形態のようにラウンド状に構成されるのではなく、角ばった形状に構成可能である。
【０１５５】
したがって、他の実施形態では、第１および第２ボディ１０、２０の連結部が角ばった形状からなっても、第１ヒンジモジュール５１０を介して第１および第２ボディ１０、２０が互いに離隔して連結できるため、第１および第２ボディ１０、２０の回転が干渉を受けなくなる。
【０１５６】
他の実施形態にかかる第１ヒンジモジュール５１０の構成は、ギヤの配置構造が前記実施形態と異なるだけであり、残りの構成は前記実施形態と同一であるため、本明細書ではより詳細な説明は省略する。
【０１５７】
そして、本発明の他の実施形態にかかる折り畳み方式の携帯端末の残りの構成（ヒンジ装置を含む。）および作用も、前記実施形態と同一であるため、より詳細な説明は省略する。
【０１５８】
本発明によれば、第１および第２ボディが第１ヒンジモジュールを介して１８０度にオープンされた状態で、第１および第２ディスプレイ部のうちいずれか一方が第２ヒンジモジュールを介してスライド移動しながら、前記ディスプレイ部を一つの大画面として実現できるため、大画面のディスプレイを介して各種マルチメディアなどを便利に利用することができる。
【０１５９】
また、本発明によれば、第１および第２ディスプレイ部のうちいずれか一方をスライド移動させることにより、第１および第２ボディのうちいずれか一方の一部をオープンし、そのオープン部位に付加機能手段を構成するため、機能要素が設けられるボディの露出面積をより拡張することができ、これにより、各種付加機能をより効率よく使用することができ、多角化するユーザの多様な欲求を満たすことができる。
【０１６０】
以上、本発明の好ましい実施形態について説明したが、本発明は、これに限定されるのではなく、特許請求の範囲と発明の詳細な説明および添付した図面の範囲内で多様な変形実施が可能であり、これら多様な変形実施も本発明の範囲に属することは言うまでもない。
【符号の説明】
【０１６１】
１０  第１ボディ
１１  第１ディスプレイ部
２０  第２ボディ
２１  第２ディスプレイ部
３０  付加機能手段
５０  ヒンジアーム
１１０  第１ヒンジモジュール
１２０  ヒンジケース
１２１  上部ケース
１２２  下部ケース
１３０  第１ヒンジ軸
１３５、１４５  連結ブラケット
１４０  第２ヒンジ軸
１５０  ギヤユニット
１５１  第１駆動ギヤ
１５２  第２駆動ギヤ
１５３  第１受動ギヤ
１５４  第２受動ギヤ
１６０  回転カム       
１６１  第１カム突起
１７０  移動カム       
１７１  第１カム部
１７２  第２カム部
１７３、１７４  第２カム突起
１８０  スプリング部材
２１０  第２ヒンジモジュール
２２０  固定部材       
２２１  本体部
２２３  ガイド溝       
２２５  溝部材
２３０  スライド部材
２３１  レール部
２５０  弾性リンク
２６１  弾性部材
２７１  アーム部材
Ａ  回転中心軸
【図１Ａ】
2012129968.tif 000003
【図１Ｂ】
2012129968.tif 000004
【図１Ｃ】
2012129968.tif 000005
【図２】
2012129968.tif 000006
【図３】
2012129968.tif 000007
【図４】
2012129968.tif 000008
【図５】
2012129968.tif 000009
【図６】
2012129968.tif 000010
【図７Ａ】
2012129968.tif 000011
【図７Ｂ】
2012129968.tif 000012
【図７Ｃ】
2012129968.tif 000013
【図８】
2012129968.tif 000014
【図９Ａ】
2012129968.tif 000015
【図９Ｂ】
2012129968.tif 000016
【図９Ｃ】
2012129968.tif 000017